(57)【要約】【課題】複数の柵部材を連結して多角形状に囲繞したサークル（囲い）を形成した場合において、従来の連結に比べより強固に連結できかつ安全性にも優れた方法およびものを提供することにある。【解決手段】扇状の連結部材２と、軸材の側部にネジ孔３を有するナット４と、ネジ５またはボルトとからなる連結具１によって、柵部材１４どうしを所定角度に順次連結してサークル（囲い）を組み立て形成する。【選択図】　　　図３
2004065302.tif 000002
【特許請求の範囲】
【請求項１】
連結具を介して柵部材どうしを所定角度に連結する連結方法であって、連結する各柵部材の側端部近傍の所定箇所にネジまたはボルト挿入用の貫通孔を設け、適宜厚さの扇状で片面部の各半径辺寄りに軸材の側部にネジ孔を形成したナットを挿入するナット収納穴を有するとともに、このナット収納穴に連通するネジまたはボルトの挿入穴を各半径辺側の側面部に有する連結部材を、側端部を隣接させた上記各柵部材の内角部に配し、連結部材の各ネジまたはボルトの挿入穴と各柵部材の貫通孔とを一致させ、連結部材の一方のナット収納穴に上記ナットのネジ孔が上記貫通孔と一致するように挿入し、かつ、一方の柵部材の外方から貫通孔に上記ネジまたはボルトを挿入して連結部材内のナットのネジ孔にねじ付け、その後に、連結部材の他方のナット収納穴に上記ナットのネジ孔が棚部材の貫通孔と一致するように挿入し、この柵部材の外方から貫通孔にネジまたはボルトを挿入して連結部材内のナットのネジ孔にねじ付けて、各柵部材を所定角度で連結するようにしたことを特徴するの柵部材の連結方法。
【請求項２】
柵部材どうしを所定角度に連結する連結具であって、扇状の連結部材と、軸材の側部にネジ孔を有するナットと、ネジまたはボルトとからなり、上記連結部材の片面部の各半径辺寄りに上記ナットを挿入するナット収納穴を設けるとともに、このナット収納穴に連通するネジまたはボルトの挿入穴を各半径辺側の側面部に設けたことを特徴とする連結具。
【請求項３】
連結部材は、中心角度が１２０°または９０°の扇形である請求項２記載の連結具。
【発明の詳細な説明】
【０００１】
【発明の属する技術分野】
本発明は、ベビーサークル等のサークル（囲い）を組み立てる場合の柵部材の連結方法および連結具に関する。
【０００２】
【従来の技術】
従来から赤ちゃんや幼児、或いは子犬等のペットを一定の空間内に収納して遊ばせておくために、複数枚の柵部材を連結形成したサークル（囲い）が使用されている。
【０００３】
このサークルは、蝶番を介し柵部材どうしを連結している。この場合、蝶番を固定するネジ（或いはボルト）は、木製の柵部材の縦枠部分に直接ねじ込んでいたため、幼児等が柵部材を揺すったりしているとネジが緩んでしまうといった問題があった。また、緩んだネジや金属製の蝶番に肌着や身体の一部が引っかかったりする懸念もあり、安全上の観点からも問題であった。
【０００４】
【発明が解決しようとする課題】
本発明は上記のような点に鑑みて開発されたものである。その目的とするところは、複数の柵部材を連結して多角形状に囲繞したサークル（囲い）を形成した場合において、従来の連結に比べより強固に連結できかつ安全性にも優れた柵部材の連結方法および連結具を提供することにある。
【０００５】
【課題を解決するための手段】
そこで、本発明は上記の目的を有効に達成するために、次のような構成にしてある。すなわち、請求項１記載の本発明の柵部材の連結方法は、連結具を介して柵部材どうしを所定角度に連結する連結方法であって、連結する各柵部材の側端部近傍の所定箇所にネジまたはボルト挿入用の貫通孔を設け、適宜厚さの扇状で片面部の各半径辺寄りに軸材の側部にネジ孔を形成したナットを挿入するナット収納穴を有するとともに、このナット収納穴に連通するネジまたはボルトの挿入穴を各半径辺側の側面部に有する連結部材を、側端部を隣接させた上記各柵部材の内角部に配し、連結部材の各ネジまたはボルトの挿入穴と各柵部材の貫通孔とを一致させ、連結部材の一方のナット収納穴に上記ナットのネジ孔が上記貫通孔と一致するように挿入し、かつ、一方の柵部材の外方から貫通孔に上記ネジまたはボルトを挿入して連結部材内のナットのネジ孔にねじ付け、その後に、連結部材の他方のナット収納穴に上記ナットのネジ孔が棚部材の貫通孔と一致するように挿入し、この柵部材の外方から貫通孔にネジまたはボルトを挿入して連結部材内のナットのネジ孔にねじ付けて、各柵部材を所定角度で連結するようにしたことを特徴する。
【０００６】
上記の構成により、各柵部材を連結部材とナットとネジまたはボルトで連結することにより、連結強固な安定したサークル（囲い）を組み立てることができる。
【０００７】
また、請求項２記載の本発明の連結具は、柵部材どうしを所定角度に連結する連結具であって、扇状の連結部材と、軸材の側部にネジ孔を有するナットと、ネジまたはボルトとからなり、上記連結部材の片面部の各半径辺寄りに上記ナットを挿入するナット収納穴を設けるとともに、このナット収納穴に連通するネジまたはボルトの挿入穴を各半径辺側の側面部に設けたことを特徴とする。
【０００８】
上記の構成により、ナットを連結部材内に収納することができて外部に突出することもなく安全であり、また、ネジまたはボルトを連結部材内のナットのネジ孔に外から挿入穴を介してネジつけることができ、この連結部材を介して柵部材どうしを所定の角度に強固に連結することができる。
【０００９】
また、請求項３記載の本発明の連結具は、請求項２記載の連結具において、中心角度が１２０°または９０°の扇形である。
【００１０】
上記の構成により、中心角度が１２０°の連結具を６個（連結箇所の上下に取り付けの場合は１２個）使用し、６枚の柵部材を順次連結することにより、６枚の柵部材で囲繞された六角形のサークル（囲い）を形成することができる。また、中心角度が９０°の連結具を４個（連結箇所の上下に取り付けの場合は８個）使用し、少なくとも４枚の柵部材を順次連結することにより、少なくとも４枚の柵部材で囲繞された四角形のサークル（囲い）を形成することができる。
【００１１】
【発明の実施の形態】
以下、本発明の実施の形態について説明する。
図１は本発明に係る一例の連結具の分解斜視図であり、図２は本発明に係る他の例の連結具の分解斜視図であり、図３は図１の連結具を使用してサークル（囲い）を形成した場合の斜視図であり、図４は柵部材に連結具を取り付ける場合の説明図であり、図５は一方の柵部材に取り付けた連結具に他方の柵部材を取り付ける場合の説明図であり、図６は図２の連結具を使用してサークル（囲い）を形成した場合の斜視図である。
【００１２】
図１に示すように本発明に係る連結具１は、扇状の連結部材２と、軸材の側部にネジ孔３を有するナット４と、ネジ５（またはボルト）とからなる。
【００１３】
上記の連結部材１は、木製（勿論、樹脂成形品や金属加工品等の他の硬質部材であってもよい。）であって、中心角度θが１２０°で半径７５ｍｍ位の扇形で、厚さが２５ｍｍ位であり、片面部６側の各半径辺７寄りでかつ円弧状外周辺８寄りに上記ナット４を挿入するナット収納穴９を有するとともに、このナット収納穴９に連通する挿入穴１０を各半径辺７側の側面部１１に有している。ナット収納穴９と挿入穴１０とは直交している。各挿入穴１０は、ナット収納穴９を貫通して反対側にも穴部分を形成してある（図示省略）。
【００１４】
上記のナット４は、連結部材１のナット収納穴９の径よりやや小さい径の金属軸材の側部に貫通したネジ孔３を有するとともに、一端面に＋溝１２を形成したものである。連結部材１のナット収納穴９にナット４を装着する場合は、ナット４のネジ孔３を連結部材１の挿入穴１０と一致させる。ナット４は、ナット収納穴９内に完全に収納されてしまう長さである。
【００１５】
上記のネジ５は、連結部材１の挿入穴１０から挿入することによって、ネジ部５ａを連結部材１内のナット４のネジ孔３にねじ込んで固着することができる。
【００１６】
次に上記した連結具１を複数使用して幼児等を入れて遊ばせておくベビーサークル（囲い）１３（図３〜図５参照）を組み立てる場合の柵部材１４の連結方法について説明する。
【００１７】
上記の連結具１を使用した場合は、中心角度θが１２０°であるので、６枚の柵部材１４を使用して六角形状のベビーサークル（囲い）１３を組み立てることができる。このベビーサークル（囲い）１３には、連結具１が柵部材１４の側端部１４ｃどうしを突き合わせた内側の内角部１４ｄの上部並びに下部にそれぞれ取り付けられる。したがって、このベビーサークル（囲い）１３は、１２個の連結具１を使用することになる、なお、便宜上、図４、図５に示すように上部の１箇所の連結箇所について説明し、他の箇所の連結方法については上部の連結と同様であり説明を省略する。
【００１８】
図４に示すように柵部材１４ａの上部枠１５ｂには、連結部材１の一方の側面部１１ａ側を、柵部材１４ａの縦枠１５の縦端１５ａに一致させて、もう一方の側面部１１ｂを上部枠１５ｂの内面に当接させた時に、この側面部１１ｂに形成された一方の挿入穴１０ａと一致する位置に貫通孔１６が形成されている。柵部材１４ｂ（図５参照）の上部枠１７ａにも連結部材１の他方の挿入穴１０ｂと一致する位置に貫通孔１８が形成されている。
【００１９】
柵部材１４ａ、１４ｂを連結する際には、ナット４のネジ孔３を連結部材１の挿入穴１０ａに一致させるようにしてこのナット４を連結部材１の柵部材１４ａ側のナット収納穴９ａに挿入する。そして連結部材１を水平にして一方の側面部１１ｂを柵部材１４ａの内面に当接させ、上部枠１５ｂの外側からネジ５を貫通孔１６に挿入し、さらに連結部材１の挿入穴１０ａに通して連結部材１内に設けたナット４のネジ孔３にネジ部５ａをネジ付けて連結部材１を柵部材１４ａに固定する。
【００２０】
次に図５に示すようにもう一方のナット収納穴９ｂに上記と同様にしてナット４を挿入し、この連結部材１の側面部１１ａに柵部材１４ｂの上部枠１７ａの内面を当接させる。上記したように柵部材１４ｂの上部枠１７ａには、柵部材１４ａの上部枠１５ｂと同様に貫通孔１８が形成してあるので、この貫通孔１８に外側からネジ５を挿入し、さらに連結部材１の挿入穴１０ｂに挿入したナット４のネジ穴３にネジ部５ａをネジ付ける。このようにして連結具１を介して柵部材１４ａと柵部材１４ｂとを１２０度の角度で連結固定する。
【００２１】
上記のように各柵部材１４（１４ａ、１４ｂ）を連結部材１を介して順次上記のように連結することにより、この例の場合は六角形上のベビーサークル（囲い）１３を組み立てることができる。組み立てたベビーサークル（囲い）１３は、連結具１を各柵部材の上部枠１５ｂ、１７ａ（および下部枠）に設けたことにより、連結部材１との当接面積の大きく、各柵部材の上・下部を強固に固定できて、より強固に連結された構造物となる。またナット４やネジ５の金属部品が露出することもなく、安全にベビーサークル（囲い）１３を使用することができる。
さらにネジ５は、柵部材１４に直接ではなく金属製のナット４にネジ付けられるので簡単に緩んだりすることもない。
【００２２】
図２は別の例の連結具１ａであって、中心角度θを９０°に形成した扇形の連結部材２を有している。他の構成は上記した図１の例の連結具１と同様であり同一箇所に同一符合を付して説明を省略する。
【００２３】
この例の連結具１ａを使用した場合は、図６に示すような四角形状のサークル（囲い）１９を組み立て形成することができる。また図示の例のサークル（囲い）１９では、２枚の柵部材１４を一直線上に突合せ、水平連結用の細長き直方体の連結部材２０を、両柵部材１４の突合せ箇所の内側に当接させてネジ２１で各柵部材１４の上部枠部材２２ａおよび下部部材２２ｂに固着して、突合せた両柵部材１４を連結してある。このように中心角度θが９０°の連結部材１ａを使用することによって、四角形状のサークル１９を組み立てることができる。
【００２４】
なお、扇形の連結部材１（１ａ）は、中心角度θが（１８０°×ｎ−３６０°）／ｎ，　（ｎ：組み立て形成できるサークルの形状）である扇形である。例えば５角形であれば、ｎが５であり中心角度θが１０８°、８角形であればｎが８であり中心角度θが１３５°である。中心角度θを変えることにより、所望の多角形状のサークルを組み立てることができる。
【００２５】
【発明の効果】
以上の説明からも明らかなように本発明の柵部材の連結方法では、各柵部材を連結部材とナットとネジ等で固定することにより、安全性の高い連結強固な安定したサークル（囲い）を組み立てることができる。
【００２６】
また、本発明の連結具では、ナットを連結部材内に隠すことができて外部に突出することもなく安全であり、また、ネジ付け具を連結部材内のナットのネジ孔に外から挿入穴を介してネジつけることができ、この連結部材を介して柵部材どうしを所定角度に強固に連結することができる。
【００２７】
さらに、本発明の連結具では、中心角度が１２０°の連結具を６個（上下に取り付けの場合は１２個）使用し、６枚の柵部材を順次連結することにより、６枚の柵部材で囲繞された六角形状のサークル（囲い）を形成することができる。また、中心角度が９０°の連結具を４個（上下に取り付けの場合は８個）使用し、少なくとも４枚の柵部材を順次連結することにより、４枚の柵部材で囲繞された四角形のサークル（囲い）を形成することができる。
【００２８】
【図面の簡単な説明】
【図１】本発明に係る一例の連結具の分解斜視図である。
【図２】本発明に係る他の例の連結具の分解斜視図である。
【図３】図１の連結具を使用してサークル（囲い）を形成した場合の斜視図である。
【図４】柵部材に連結具を取り付ける場合の説明図である
【図５】一方の柵部材に取り付けた連結具に他方の柵部材を取り付ける場合の説明図である。
【図６】図２の連結具を使用してサークル（囲い）を形成した場合の斜視図である。
【符号の説明】
１（１ａ）連結具
２　　　　連結部材
３　　　　ネジ孔
４　　　　ナット
５　　　　ネジ（またはボルト）
６　　　　片面部
７　　　　半径辺
９　　　　ナット収納穴
１０（１０ａ、１０ｂ）　挿入穴
１１（１１ａ、１１ｂ）　側面部
１４（１４ａ、１４ｂ）　柵部材
１４ｄ　　　内角部
１５ａ　　　柵部材の側端部
１６，１８　貫通孔
θ　　　　　中心角度
【図１】
2004065302.tif 000003
【図２】
2004065302.tif 000004
【図３】
2004065302.tif 000005
【図４】
2004065302.tif 000006
【図５】
2004065302.tif 000007
【図６】
2004065302.tif 000008